(57)【要約】      （修正有）【課題】他の自動販売機とレイアウト上の差別化を図ることができるとともに、部品コストの増加、およびランニングコストが増加することを防止することができる自動販売機を提供する。【解決手段】自動販売機は、前面扉１１の上部領域に商品見本展示室１５を有し、当該商品見本展示室に商品見本２１を展示するものである。この自動販売機は、商品見本展示室を、その内部に設けた上下方向に延在する一対の側板１６ａ，１６ｂによって左右の第１商品展示部１７と第２商品展示部１８とに分断する。また、一対の側板の前面側であって、前面扉の中央領域に化粧パネル３５を配設してある。その化粧パネルには、販売操作表示手段４０，４１，４２，４３，４４を設けてある。一対の側板の上端と、前面扉の上扉枠１１ｄとの間には間隙をそれぞれ確保し、かつ間隙に商品見本を照明する直管状の蛍光灯を配設してある。【選択図】図１
2008197789.tif 000002
【特許請求の範囲】
【請求項１】
前面扉の上部領域に商品見本展示室を有し、当該商品見本展示室に商品見本を展示する自動販売機において、
前記商品見本展示室を、その内部に設けた上下方向に延在する一対の側板によって左右の第１商品展示部と第２商品展示部とに分断し、
前記一対の側板の前面側であって、前記前面扉の中央領域に配設され、かつ、販売操作表示手段を設けた化粧パネルを備え、
前記一対の側板の上端と、前記前面扉の天井との間に間隙をそれぞれ確保し、かつ前記間隙に前記商品見本を照明する直管状の光源を配設したことを特徴とする自動販売機。
【請求項２】
内部に第２商品見本を収容する第３商品見本展示部を前記一対の側板の間に設け、
前記第２商品見本を前記光源の下方域に配置することを特徴とする請求項１に記載の自動販売機。
【請求項３】
前記第３商品見本展示部の前面側には光透過板を設け、かつ
前記第３商品見本展示部には、前記光源からの光を前記光透過板に向けて反射する光反射手段を設けることを特徴とする請求項２に記載の自動販売機。
【請求項４】
前記第２商品見本は、着脱手段を介して前記一対の側板に取り付けることを特徴とする請求項２に記載の自動販売機。
【請求項５】
前記第１商品展示部および前記第２商品展示部に跨る一枚の中扉を、前記前面扉の背面側に設け、
その中扉に前記蛍光灯を取り付けることを特徴とする請求項１に記載の自動販売機。
【発明の詳細な説明】
【技術分野】
【０００１】
本発明は、自動販売機に関するものである。
【背景技術】
【０００２】
自動販売機は、前面が開口した箱状の本体キャビネットと、その本体キャビネットの開口を開閉する前面扉とを備えている。前面扉の内部には、商品見本展示室が画成されている。商品見本展示室は、その前面側の表面が透明板によって覆われており、その内部に商品見本が収容されている。この商品見本は、自動販売機で販売する商品に対応しており、例えば商品見本展示室の背面板に支持させた商品展示台に整列した状態で搭載されている。
【０００３】
また、商品見本展示室の内部には、商品見本を照明するための光源として蛍光灯が配設されている。
【０００４】
商品見本展示室の透明板には、押ボタンユニットが設けてある。押ボタンユニットは、商品見本に対応し、商品を選択するための押ボタンを複数備えている。この押ボタンは、商品見本展示室の外部に臨むよう透明板に形成した孔から突出する態様で押ボタンユニットに配置されている。
【０００５】
この自動販売機では、例えば貨幣を投入した後、商品見本に対応する押ボタンを押圧操作すれば、商品見本に対応する商品を購入することができる（例えば、特許文献１参照）。
【０００６】
【特許文献１】特開平１０−７９０７８号公報
【発明の開示】
【発明が解決しようとする課題】
【０００７】
ところで、前面扉における商品見本展示室の下方には、硬貨投入口、硬貨返却口、紙幣挿入口、表示器等の販売操作表示手段が配設されている。
【０００８】
これらの販売操作手段は、上述した商品見本展示室の下方の他、商品見本展示室の右側方に位置する場合や、商品見本展示室の左側方に位置する場合がある。この販売操作手段の位置は上記３態様にほぼ限られ、他の自動販売機との差別化を図ることができない。
【０００９】
そこで、例えば上記販売操作手段を前面扉の正面側のほぼ中央に配設し、それら販売操作手段によって商品見本展示室を左右に分断することで、前面扉に第１商品見本展示部と第２商品見本展示部とを設け、それにより、自動販売機の正面側のレイアウトを変更し、他の自動販売機との差別化を図ることで、商品の購買意欲を喚起することが考えられる。
【００１０】
しかしながら、上述したレイアウト変更を行った場合には、各商品見本展示室の商品見本を照らし出す蛍光灯をそれぞれ配設しなければならない。これらのように蛍光灯を配設した場合には、蛍光灯に電圧を印加するための配線の量が増加し、かつグローランプ灯の部品も増加することで部品コストが増加することとなる。また、上記自動販売機で商品を販売した場合には、蛍光灯の数量が増加しているため、ランニングコストも増加することとなる。
【００１１】
本発明は、上記実情に鑑み、他の自動販売機とレイアウト上の差別化を図ることができるとともに、部品コストの増加、およびランニングコストが増加することを防止することができる自動販売機を提供することにある。
【課題を解決するための手段】
【００１２】
上記の目的を達成するために、請求項１に係る発明は、前面扉の上部領域に商品見本展示室を有し、当該商品見本展示室に商品見本を展示する自動販売機において、前記商品見本展示室を、その内部に設けた上下方向に延在する一対の側板によって左右の第１商品展示部と第２商品展示部とに分断し、前記一対の側板の前面側であって、前記前面扉の中央領域に配設され、かつ、販売操作表示手段を設けた化粧パネルを備え、前記一対の側板の上端と、前記前面扉の天井との間に間隙をそれぞれ確保し、かつ前記間隙に前記商品見本を照明する直管状の光源を配設したことを特徴とする。
【００１３】
また、本発明の請求項２に係る自動販売機は、上記請求項１において、内部に第２商品見本を収容する第３商品見本展示部を前記一対の側板の間に設け、前記第２商品見本を前記光源の下方域に配置することを特徴とする。
【００１４】
また、本発明の請求項３に係る自動販売機は、上記請求項２において、前記第３商品見本展示部の前面側には光透過板を設け、かつ前記第３商品見本展示部には、前記光源からの光を前記光透過板に向けて反射する光反射手段を設けることを特徴とする。
【００１５】
また、本発明の請求項４に係る自動販売機は、上記請求項２において、前記第２商品見本は、着脱手段を介して前記一対の側板に取り付けることを特徴とする。
【００１６】
また、本発明の請求項５に係る自動販売機は、上記請求項１において、前記第１商品展示部および前記第２商品展示部に跨る一枚の中扉を、前記前面扉の背面側に設け、その中扉に前記蛍光灯を取り付けることを特徴とする。
【発明の効果】
【００１７】
本発明にかかる自動販売機によれば、商品見本展示室を、その内部に設けた一対の側板によって第１商品見本展示部と第２商品展示部とに分断するため、他の自動販売機とレイアウト上の差別化を図ることができる。さらに、一対の側板の上端と、前面扉の天井との間に間隙をそれぞれ確保し、かつその間隙に商品見本を照明するための直管状の光源を配設したため、例えば光源を１本の蛍光灯とすれば、光源の数量が増加することを防止することができる。よって、光源の数量が増加することに起因して、部品コストが増加することを防止することができるとともに、ランニングコストが増加することを防止することができる。
【発明を実施するための最良の形態】
【００１８】
以下、添付図面を適宜参照しながら、本発明に係る自動販売機の好適な実施の形態について詳細に説明する。
【００１９】
図１は、本発明にかかる自動販売機を示したものである。この自動販売機は、貨幣の投入等、所定の入金条件を充足した場合に、缶入り飲料、ペットボトル入り飲料等の商品の払い出しを行うもので、内部に商品を収容する不図示の本体キャビネットを備えている。
【００２０】
本体キャビネットは、複数の壁板を組み合わせることによって前面が開口した箱状に構成したもので、それぞれの壁板に断熱材を配置することによって断熱機能を有する商品収納空間を、その内部に画成してある。図には明示していないが、本実施の形態で例示する本体キャビネットは、缶、ペットボトル等の容器に充填された商品である飲料を冷却、もしくは加熱した状態で収納するものである。
【００２１】
本体キャビネットの前面には、前面扉１１が配設してある。前面扉１１は、自身の一側縁部を介して、本体キャビネットの一側縁部にヒンジを介して取り付けてあり、本体キャビネットの開口を開閉するものである。なお、以下の説明において、前面扉１１がある側を自動販売機の手前側（前面側）とし、本体キャビネットがある側を奥側（背面側）として説明する。
【００２２】
前面扉１１は、扉主板１１ａと、右扉枠１１ｂと、左扉枠１１ｃと、上扉枠１１ｄとで構成してある。扉主板１１ａは、縦横の大きさが、本体キャビネットの前面開口の下半分の縦横の大きさよりもわずかに大きい。この扉主板１１ａは、左側端部を背面側に折り曲げ、右側端部を背面側に折り曲げ、上側端部を背面側に折り曲げ、かつ下側端部を背面側に折り曲げた後、その折り曲げた端部を突き合わせ溶接することで構成する。各端部をそれぞれ折り曲げた扉主板１１ａの縦横の大きさは、本体キャビネットの前面開口の下半分の縦横の大きさとほぼ同一である。
【００２３】
右扉枠１１ｂは、扉主板１１ａの背面側に折り曲げた右側端部に溶接するもので、扉主板１１ａを補強するものである。この右扉枠１１ｂの上下方向の長さは、本体キャビネットの上下方向の長さと同一である。
【００２４】
左扉枠１１ｃは、扉主板１１ａの背面側に折り曲げた左側端部に溶接するもので、扉主板１１ａを補強するものである。この左扉枠１１ｃの上下方向の長さは、本体キャビネットの上下方向の長さと同一である。
【００２５】
上扉枠１１ｄは、右扉枠１１ｂの上端部と、左扉枠１１ｃの上端部との間に掛け渡す態様で、それら扉枠１１ｂ，１１ｃの上端部にそれぞれ溶接するものである。この上扉枠１１ｄの左右方向の長さは、本体キャビネットの左右方向の長さと同一である。
【００２６】
扉主板１１ａに、各扉枠１１ｂ，１１ｃ，１１ｄをそれぞれ取り付けた前面扉１１の縦横の大きさは、本体キャビネットの前面側の開口を覆う大きさを有しており、かつ本体キャビネットの前面側の縦横の大きさと同一である。
【００２７】
前面扉１１の背面側には、図３に示す中扉１４を設けてある。中扉１４は、板状に形成してあり、この中扉１４は、扉主板１１ａの上部であって前面扉１１の上部領域の縦横の大きさとほぼ同一である。この中扉１４は、前面扉１１を構成する左扉枠１１ｃにヒンジを介して取り付けてある。また、中扉１４の中央部分には、後述する販売操作手段と対峙する位置に開口や切欠が形成されている。
【００２８】
この前面扉１１の内部には、図１および図２に示すように、扉主板１１ａの背面側に折り曲げた上端部と、右扉枠１１ｂと、左扉枠１１ｃと、上扉枠１１ｄと、中扉１４とによって商品見本展示室１５を画成してある。
【００２９】
上記商品見本展示室１５の内部には、図１および図２に示すように、上下方向に延在する分断部材１６を配設してある。この分断部材１６によって、上記商品見本展示室１５は、図１中、左側方に位置する第１商品見本展示部１７と、図１中、右側方に位置する第２商品見本展示部１８とに分断してある。分断部材１６は、剛性を有した金属材料によって形成してあり、上下方向に延在する一方の側板１６ａと、上下方向に延在する他方の側板１６ｂと、一方の側板１６ａと他方の側板とを連結する連結部とで、断面がコ字状を成すよう構成してある。また、各側板１６ａ，１６ｂの上端と、前面扉１１の天井を構成する上扉枠１１ｄとの間には、後述する光源である蛍光灯を通すための間隙を確保してある。一方の側板１６ａの上端位置と、他方の側板１６ｂの上端位置とは同一である。これら側板１６ａ，１６ｂの上端位置は、上記右扉枠１１ｂの上端位置よりも下方となるように設定してあり、左扉枠１１ｃの上端位置よりも下方となるよう設定してある。
【００３０】
各商品見本展示部１７，１８の内部には、複数の商品見本展示台２０をそれぞれ並設してある。この実施の形態では、各商品見本展示部１７，１８の内部には、３つの商品見本展示台２０を上下方向に並設してある。各商品見本展示台２０は、図１〜図３に示すように、複数の商品見本２１を搭載できるよう台状に構成してある。この実施の形態では、商品見本展示台２０は、５つの商品見本２１を搭載できるよう商品見本２１を挿入するための商品見本挿入孔２０ａを５つ有する台状に形成してある。
【００３１】
第１商品見本展示部１７の各商品見本展示台２０は、図３に示すように、中扉１４の前面側に取り付けてあり、図１に示すように、左扉枠１１ｃと、一方の側板１６ａとの間に位置する。
【００３２】
第２商品見本展示部１８の各商品見本展示台２０は、図３に示すように、中扉１４の前面側に取り付けてあり、図１に示すように、右扉枠１１ｂと、他方の側板１６ｂとの間に位置する。
【００３３】
各商品見本展示台２０には、商品見本２１を照明する蛍光灯２３を配設してある。より具体的には、最上段の商品見本展示台２０に配設した蛍光灯２３は、最上段の商品見本展示台２０の商品見本２１を下方から照明するとともに、中段の商品見本展示台２０の商品見本２１を上方から照明するものである。中段の商品見本展示台２０に配設した蛍光灯２３は、中段の商品見本展示台２０の商品見本２１を下方から照明するとともに、最下段の商品見本展示台２０の商品見本２１を上方から照明するものである。最下段の商品見本展示台２０に配設した蛍光灯２３は、最下段の商品見本展示台２０の商品見本２１を下方から照明するものである。
【００３４】
また、上記商品見本展示室１５の最上部には、光源である１本の蛍光灯３０を配設してある。この蛍光灯３０は、図３に示すように、直管状に形成してある。この蛍光灯３０は、中扉１４に取り付けてあり、前面扉１１に対して中扉１４を閉じた状態では、図１および図２に示すように、右扉枠１１ｂと、左扉枠１１ｃとの間に位置し、かつ上記間隙を通ることとなる。なお、上扉枠１１ｄは、図１、図３、および図４に示すように、蛍光灯３０の前方域に位置しており、利用者が上記蛍光灯３０を直視することを防止する役目を有している。
【００３５】
上記一対の側板の前面側であって、前面扉１１の中央領域には、光遮断性を有する板金性の化粧パネル３５を配設してある。この化粧パネル３５は、上下方向に延在し、かつ下方の先端側が徐々に先細となる態様で形成してあり、先細となる先端側が、商品見本展示室１５の下部よりも下方に突出している。
【００３６】
扉主板１１ａの上部と、上扉枠１１ｄと、左扉枠１１ｃと、一方の側板１６ａとによって前面扉１１の手前側に形成される開口１１ｆには、図１および図２に示すように、透明板２４を設けてある。また、扉主板１１ａの上部と、上扉枠１１ｄと、右扉枠１１ｂと、他方の側板１６ｂとによって前面扉１１の手前側に形成される開口１１ｇには、図１および図２に示すように、透明板２４を設けてある。各透明板２４には、図１に示すように、商品見本展示台２０に対応するよう押ボタンユニット２５を配設してある。押ボタンユニット２５は、商品見本２１に対応し、商品を選択するための押ボタン２５ａを複数備えている。この実施の形態では、各押ボタンユニット２５は、５つの押ボタン２５ａをそれぞれ有している。この押ボタン２５ａは、図１および図３に示すように、透明板２４に形成した不図示のボタン挿入孔を介して各商品見本展示部１７，１８の外部に臨む態様で配置してある。
【００３７】
化粧パネル３５には、紙幣挿通口（販売操作表示手段）４０、表示器（販売操作表示手段）４１、硬貨投入口（販売操作表示手段）４２、硬貨返却レバー（販売操作表示手段）４３、硬貨返却口（販売操作表示手段）４４を配設してある。
【００３８】
紙幣挿通口４０は、利用者が紙幣を挿入するための開口である。この紙幣挿通口４０を通じて挿入された紙幣は、図２に示す紙幣処理装置４０ａにおいて適宜処理されることになる。なお、この紙幣挿通口４０は、利用者に対して紙幣を返却する際の紙幣返却口としても機能する。
【００３９】
図１に示す表示器４１は、貨幣の入金額、商品の販売中であるか否か、釣り銭があるか否か等々、商品を販売する上で必要となる各種情報を外部に表示するためのものであり、例えば液晶表示器によって構成してある。
【００４０】
硬貨投入口４２は、利用者が硬貨を投入するための開口である。この硬貨投入口４２を通じて投入された硬貨は、図示せぬ硬貨処理装置において適宜処理されることになる。
【００４１】
硬貨返却レバー４３は、紙幣挿通口４０から挿入した紙幣、あるいは硬貨投入口４２から投入した硬貨を返却するための操作部であり、硬貨投入口４２の近傍に配設してある。
【００４２】
硬貨返却口４４は、利用者に対して硬貨を返却するための開口であり、硬貨投入口４２よりも下方となる位置に設けてある。
【００４３】
また、一方の側板１６ａと他方の側板１６ｂとの間には、図２および図４に示すように、第３商品見本展示部５０を設けてある。第３商品見本展示部５０の前方域の化粧パネル３５には、円形の開口３５ａを形成してある。第３商品見本展示部５０は、前面扉１１の正面側の中央であって、上部に位置している。第３商品見本展示部５０には、図５および図６に示す光透過板５５と、着脱具（着脱手段）５１と、第２商品見本５２と、支持具５３と、光反射板５４とを配設してある。
【００４４】
光透過板５５は、光透過性を有する合成樹脂材料で矩形板状に形成してある。この光透過板５５の縦横の大きさは、上記開口３５ａの縦横の大きさよりも大きい。
【００４５】
着脱具５１は、第１板状部５１ａと第２板状部５１ｂと舌片部５１ｃとを備えており、例えば金属材料を用いて板状に形成してある。第１板状部５１ａは、例えば上下方向に延在するよう形成してある。この第１板状部５１ａの縦横の大きさは、上記開口３５ａの大きさよりも大きい。この第１板状部には、その縦横の大きさが、上記開口３５ａより一回り大きな開口５１ｆを形成してあり、着脱具５１が多少ずれても正面から見て開口３５ａから着脱具５１が見えないようにしている。
【００４６】
第２板状部５１ｂは、例えば前面扉１１の背面側に延在するよう形成してあり、第１板状部５１ａの奥側下端部に連続している。この第２板状部５１ｂの奥行幅方向の長さは、一方の側板１６ａと他方の側板１６ｂとの間に掛け渡した図４に示す支持板１９の奥行幅方向の長さと同一である。また、第２板状部５１ｂの手前側の端には、爪挿入孔５１ｇを２つ形成してある。
【００４７】
舌片部５１ｃは、第２板状部５１ｂの奥側下端部に連続している。この舌片部５１ｃには、左右幅方向の両端部近傍にネジ孔５１ｄを２つ形成してある。
【００４８】
第２商品見本５２は、例えば図５および図６に示すように、商品を入れる容器を模した円筒状を成す立体状のものと、図７および図８に示すように、商品を入れる容器を現した矩形状を成すシート形状のものとがある。図７および図８に示すシート形状のものは、さらに、不透明な合成樹脂材料で形成したものと、透明な合成樹脂材料で形成したものとがある。シート状の第２商品見本５２の縦横の大きさは、図８に示すように、着脱具５１の第１板状部５１ａの縦横の大きさよりもわずかに小さい。
【００４９】
図５および図６に示す支持具５３は、立体状の第２商品見本５２を支持するものであって、本体部５３ａと、第１折曲部５３ｃと、第２折曲部５３ｄとを備えている。本体部５３ａには、立体状の第２商品見本５２を挿入するための第２商品見本挿入孔５３ｅを有している。本体部５３ａの両側には、手前側に突出する側部５３ｂをそれぞれ配設してある。第１折曲部５３ｃは、本体部５３ａの上端部から前面扉１１の背面側に向けて突出し、その後、下方に向けて突出する部分である。第２折曲部５３ｄは、本体部５３ａの下端部から下方に向けて突出する部分である。この第２折曲部５３ｄの前面側には、２つの係止部５３ｆを配設してある。
【００５０】
光反射板５４は、本体部５４ａを備えている。本体部５４ａは、光源である蛍光灯３０からの光を光透過板５５に向けて反射するものである。この光反射板５４の本体部５４ａの縦横の大きさと、上記支持具５３の本体部５３ａの縦横の大きさとは同一である。また、本体部５４ａの下端部には、下方に向けて突出する２つの爪５４ｃを配設してある。この本体部５４ａの両側部には、手前側に向けて突出する側部５４ｂをそれぞれ配設してある。
【００５１】
上述した光透過板５５と、着脱具５１と、立体状の第２商品見本５２と、支持具５３と、光反射板５４との組立てを次に説明する。先ず、立体状の第２商品見本５２を支持具５３の第２商品見本挿入孔５３ｅに挿入し、第２商品見本５２を支持具５３に取り付ける。
【００５２】
次に、立体状の第２商品見本５２を取り付けた支持具５３の本体部５３ａと、光反射板５４の本体部５４ａとを接触させ、かつ合致させる。支持具５３の本体部５３ａと、光反射板５４の本体部５４ａとを合致させた状態では、光反射板５４が上方に移動したようとした場合、支持具５３の第１折曲部５３ｃに接触することとなり、光反射板５４の上方への移動が規制されることとなる。
【００５３】
次いで、着脱具５１の前面側に、ネジ５６で光透過板５５を取り付ける。
【００５４】
次に、光反射板５４の爪５４ｃを、着脱具５１の爪挿入孔に入れ、光反射板５４と着脱具５１とで、支持具５３を挟持する。
【００５５】
最後に、図４に示すように、着脱具５１を支持板１９の上に載置し、着脱具５１のネジ孔５１ｄに挿入したネジによって支持板１９に着脱具５１を固着し、第２商品見本５２を着脱具５１を介して側板１６ａ，１６ｂに取り付けることで、第２商品見本５２を第３商品見本展示部５０に配置する。第２商品見本５２を第３商品見本展示部５０に配置した状態では、立体状の第２商品見本５２が光源である蛍光灯３０の下方域に配置されることとなる。
【００５６】
次に、立体状の第２商品見本５２に代えてシート状の第２商品見本５２を第３商品見本展示部５０に配置する場合を説明する。
【００５７】
先ず、上述した説明の逆を行うことで、立体状の第２商品見本５２を側板１６ａ，１６ｂから取り外し、支持具５３から立体状の第２商品見本５２を取り外す。
【００５８】
次に、図７に示す支持具５３の本体部５３ａと、光反射板５４の本体部５４ａとを合致させる。
【００５９】
次いで、支持具５３の係止部５３ｆにシート状の第２商品見本５２を引っ掛ける。
【００６０】
次に、光反射板５４の爪５４ｃを、着脱具５１の爪挿入孔に入れ、着脱具５１の第１板状部５１ａに、シート状の第２商品見本５２を合致させ、かつ光反射板５４と着脱具５１とで、支持具５３およびシート状の第２商品見本５２を挟持する。
【００６１】
最後に、着脱具５１を、上記支持板１９の上に載置し、着脱具５１のネジ孔５１ｄに挿入したネジによって支持板１９に着脱具５１を固着し、シート状の第２商品見本５２を着脱具５１により第２側板１６ａ，１６ｂに取り付けることで、第２商品見本５２を第３商品見本展示部５０に配置する。第２商品見本５２を第３商品見本展示部５０に配置した状態では、シート状の第２商品見本５２が光源である蛍光灯３０の下方域に配置されることとなる。
【００６２】
また、上述した説明の逆を行えば、シート状の第２商品見本５２を第２側板１６ａ，１６ｂから取り外すことができる。
【００６３】
この自動販売機において、１本の直管状の蛍光灯３０を点灯すれば、第１商品見本展示部１７の最上段の商品見本展示台２０の商品見本２１を照明することができ、第２商品見本展示部１８の最上段の商品見本展示台２０の商品見本２１を照明することができ、かつ第３商品見本展示部５０の第２商品見本５２を照明することができる。よって、複数の光源によって、各商品見本展示部１７，１８，５０の商品見本２１，５２を照明する必要がないため、光源の数量が増加することを防止することができる。従って、光源の数量が増加することに起因して、部品コストが増加することを防止することができるとともに、ランニングコストが増加することを防止することができる。
【００６４】
加えて、商品見本展示室１５は、その内部に設けた上下方向に延在する一対の側板１６ａ，１６ｂによって左右に分断された第１商品見本展示部１７と第２商品見本展示部１８とを備えるため、他の自動販売機とレイアウト上の差別化を図ることができる。
【００６５】
さらに、第３商品見本展示部５０の第２商品見本５２を、前面扉１１の正面側の中央であって、上部に配設してあるため、おすすめ商品を上記第３商品見本展示部５０で展示すれば、利用者におすすめ商品をアピールすることができる。
【００６６】
しかも、第３商品見本展示部５０には、蛍光灯３０からの光を光透過板５５に向けて反射する光反射板５４を設けたため、第３商品見本展示部５０を目立たせることで、一層第２商品見本５２をアピールすることができる。
【００６７】
加えて、着脱具５１によって、第２商品見本５２を側板１６ａ，１６ｂに着脱することができる。よって、シート状の第２商品見本５２と立体状の第２商品見本５２とを容易に取り替えることができる。
【００６８】
なお、上述した実施の形態には、光透過性を有するシート状の第２商品見本５２または立体状の第２商品見本５２のいずれか一方を使用するもので説明した。しかし、この発明はそれに限られず、例えば光透過性を有するシート状の第２商品見本５２と、立体状の第２商品見本５２とを同時に使用しても良い。
【００６９】
また、上述した実施の形態には、第３商品見本展示部５０の前方域の化粧パネル３５には、円形の開口３５ａを形成し、その開口３５ａを光透過板５５で塞ぐもので説明した。しかし、この発明はそれに限られず、開口３５ａの形状は上記円形に限られない。
【００７０】
さらに、上述した実施の形態には、シート状の第２商品見本５２を、支持具５３の係止部５３ｆに引掛かけ、光反射板５４の爪５４ｃを、着脱具５１の爪挿入孔に入れることによって、光反射板５４と着脱具５１とで、支持具５３およびシート状の第２商品見本５２を挟持するもので説明した。しかし、この発明は、シート状の第２商品見本５２を支持具５３の係止部５３ｆに引っ掛けるものに限られず、シート状の第２商品見本５２と、着脱具５１の第１板状部５１ａとを両面テープで止めても良いし、シート状の第２商品見本５２の下端部を支持具５３に差し込んでも良い。
【００７１】
また、上述した実施の形態には、立体状の第２商品見本５２を、支持具５３の第２商品見本挿入孔５３ｅに挿入するもので説明した。しかし、この発明はそれに限られず、例えば立体状の第２商品見本５２を支持具５３に貼り付けても良い。
【００７２】
さらに、上述した実施の形態において、シート状の第２商品見本５２を第３商品見本展示部５０に展示する場合には、支持具５３を取り付けなくても良い。
【図面の簡単な説明】
【００７３】
【図１】本発明にかかる自動販売機を示す正面図である。
【図２】その自動販売機が備える前面扉を背面側から見た斜視図である。
【図３】図２に示した前面扉が備える第１商品見本展示部の断面図である。
【図４】図２に示した前面扉が備える第３商品見本展示部の断面図である。
【図５】第３商品見本展示部に配設する着脱具、立体状の第２商品見本、支持具、光反射板の組み立てを示す説明図である。
【図６】図５で示した着脱具、立体状の第２商品見本、支持具、光反射板を組み立てたものを示す斜視図である。
【図７】第３商品見本展示部に配設する着脱具、シート状の第２商品見本、支持具、光反射板の組み立てを示す説明図である。
【図８】図７で示した着脱具、シート状の第２商品見本、支持具、光反射板を組み立てたものを示す斜視図である。
【符号の説明】
【００７４】
１１      前面扉
１２ａ    第１側板
１２ｂ    第１側板
１１ｄ    上扉枠
１５      商品見本展示室
１６      分断部材
１６ａ    側板
１６ｂ    側板
１７      第１商品見本展示部
１８      第２商品見本展示部
１９      支持板
２０      商品見本展示台
２０ａ    商品見本挿入孔
２１      商品見本
２３      蛍光灯
２４      透明板
２４ａ    ボタン挿入孔
２５      押ボタンユニット
２５ａ    押ボタン
３０      蛍光灯（光源）
３５      化粧パネル
３５ａ    開口
４０      紙幣挿通口
４０ａ    紙幣処理装置
４１      表示器
４２      硬貨投入口
４３      硬貨返却レバー
４４      硬貨返却口
５０      第３商品見本展示部
５１      着脱具
５１ａ    第１板状部
５１ｂ    第２板状部
５１ｃ    舌片部
５１ｄ    ネジ孔
５２      第２商品見本
５３      支持具
５３ａ    本体部
５３ｂ    側部
５３ｃ    第１折曲部
５３ｄ    第２折曲部
５４      光反射板（光反射手段）
５４ａ    本体部
５４ｂ    側部
５４ｃ    爪
５５      光透過板
【図１】
2008197789.tif 000003
【図２】
2008197789.tif 000004
【図３】
2008197789.tif 000005
【図４】
2008197789.tif 000006
【図５】
2008197789.tif 000007
【図６】
2008197789.tif 000008
【図７】
2008197789.tif 000009
【図８】
2008197789.tif 000010